(57)【特許請求の範囲】
【請求項１】
先端側に刃部が設けられ根元側に把持部が設けられた一対の刃物体を交差状に配置し回転軸で軸支してなるはさみに装着される切り屑収容具であって、上記はさみの片方の刃部に沿って延びる開口を有し、使用時に下側になる方の刃部に、その開口を沿わせた状態で配置される切り屑収容箱と、先端側が上記切り屑収容箱と連結されるか一体的に形成され根元側が上記はさみの回転軸近傍に係合される切り屑収容箱装着ガイドと、上記はさみの片方の刃部に沿って延びる略棒状体からなり、使用時に上側になる方の刃部に、その底面を上記切り屑収容箱の開口に対峙させた状態で装着される切り屑押さえとを備え、上記切り屑収容箱装着ガイドが、使用時に上側になる方の把持部の根元側を上側から折り返す形状の折り返し片を有し、その折り返し片の内側に、はさみの回転軸の突出部分に係脱自在な係合部を有しており、はさみの開閉動作に伴い、上下の刃部の間で生じる切り屑が、上記切り屑押さえによって切り屑収容箱内に押し込まれるようになっていることを特徴とするはさみ用切り屑収容具。
【請求項２】
先端側に刃部が設けられ根元側に把持部が設けられた一対の刃物体を交差状に配置し回転軸で軸支してなるはさみに装着される切り屑収容具であって、上記はさみの片方の刃部に沿って延びる開口を有し、使用時に下側になる方の刃部に、その開口を沿わせた状態で配置される切り屑収容箱と、先端側が上記切り屑収容箱と連結されるか一体的に形成され根元側が上記はさみの回転軸近傍に係合される切り屑収容箱装着ガイドと、上記はさみの片方の刃部に沿って延びる略棒状体からなり、使用時に上側になる方の刃部に、その底面を上記切り屑収容箱の開口に対峙させた状態で装着される切り屑押さえとを備え、上記切り屑収容箱が、その一部がはさみの刃部に重ねられる第１側壁部と、上記第１側壁部と組み合わせられることにより切り屑収容箱になる第２側壁部と、上記第１側壁部と第２側壁部とを組み合わせて固定するストッパーとを有しており、はさみの開閉動作に伴い、上下の刃部の間で生じる切り屑が、上記切り屑押さえによって切り屑収容箱内に押し込まれるようになっていることを特徴とするはさみ用切り屑収容具。
【請求項３】
上記切り屑押さえが、弾性を有する材料で形成されているものである請求項１または２記載のはさみ用切り屑収容具。
【請求項４】
上記切り屑押さえが、上記切り屑収容箱の開口を塞ぐ形状に形成されている請求項１〜３のいずれか一項に記載のはさみ用切り屑収容具。
【発明の詳細な説明】
【技術分野】
【０００１】
本発明は、はさみに装着され、はさみにより切断された切り屑を収容するはさみ用切り屑収容具に関するものである。
【背景技術】
【０００２】
従来、はさみに装着され、はさみにより切断された切り屑を収容する切り屑収容具として各種のものが提案されている。例えば、特許文献１には、ケースと係合部とストッパーとで構成されている切り屑収容具が開示されている。しかし、この切り屑収容具をはさみに装着するには、はさみ自体に係合のための追加加工が必要となり、そうでなければ、はさみにしっかりと固定することができないという問題がある。
【０００３】
上記の問題を解決するため、例えば、特許文献２に示すようなはさみ用切り屑収容具が示されている。このはさみ用切り屑収容具は、はさみに加工することなく、そのまま取り付けることができるもので、切断された切り屑を収容するための切り屑収容箱と、これをはさみに固定するための固定具と、はさみが閉じた状態から開かないようにするための開き防止装置とを備えている。そして、上記はさみ用切り屑収容具をはさみに装着した状態で紙を切ると、生じた切り屑が、上記切り屑収容箱の開口から切り屑収容箱内に収容されるようになっている。
【先行技術文献】
【特許文献】
【０００４】
【特許文献１】特開平１０−２８７８６号公報
【特許文献２】特許第３３７５５４４号公報
【発明の概要】
【発明が解決しようとする課題】
【０００５】
しかしながら、特許文献２に記載のはさみ用切り屑収容具は、切り屑収容箱の先端部分に開き防止装置が設けられており、安全性に優れるものの、切り屑収容箱の開口より大きい切り屑がうまく切り屑収容箱内に入りにくい傾向がみられる。また、このはさみで、刃渡りより長く切っていく場合、切り屑収容箱を固定するボックス型の固定具が邪魔になって切りにくいため、さらに改善が求められている。
【０００６】
本発明は、このような事情に鑑みなされたもので、切り屑収容箱の開口より大きいサイズの切り屑であっても取りこぼすことなく切り屑収容箱に収容でき、しかも、通常のはさみとして用いる際の操作性が良好で、使い勝手のよいはさみ用切り屑収容具の提供をその目的とする。
【課題を解決するための手段】
【０００７】
上記の目的を達成するため、本発明のはさみ用切り屑収容具は、先端側に刃部が設けられ根元側に把持部が設けられた一対の刃物体を交差状に配置し回転軸で軸支してなるはさみに装着される切り屑収容具であって、上記はさみの片方の刃部に沿って延びる開口を有し、使用時に下側になる方の刃部に、その開口を沿わせた状態で配置される切り屑収容箱と、先端側が上記切り屑収容箱と連結されるか一体的に形成され根元側が上記はさみの回転軸近傍に係合される切り屑収容箱装着ガイドと、上記はさみの片方の刃部に沿って延びる略棒状体からなり、使用時に上側になる方の刃部に、その底面を上記切り屑収容箱の開口に対峙させた状態で装着される切り屑押さえとを備え、上記切り屑収容箱装着ガイドが、使用時に上側になる方の把持部の根元側を上側から折り返す形状の折り返し片を有し、その折り返し片の内側に、はさみの回転軸の突出部分に係脱自在な係合部を有しており、はさみの開閉動作に伴い、上下の刃部の間で生じる切り屑が、上記切り屑押さえによって切り屑収容箱内に押し込まれるようになっていることを第１の要旨とする。
また、先端側に刃部が設けられ根元側に把持部が設けられた一対の刃物体を交差状に配置し回転軸で軸支してなるはさみに装着される切り屑収容具であって、上記はさみの片方の刃部に沿って延びる開口を有し、使用時に下側になる方の刃部に、その開口を沿わせた状態で配置される切り屑収容箱と、先端側が上記切り屑収容箱と連結されるか一体的に形成され根元側が上記はさみの回転軸近傍に係合される切り屑収容箱装着ガイドと、上記はさみの片方の刃部に沿って延びる略棒状体からなり、使用時に上側になる方の刃部に、その底面を上記切り屑収容箱の開口に対峙させた状態で装着される切り屑押さえとを備え、上記切り屑収容箱が、その一部がはさみの刃部に重ねられる第１側壁部と、上記第１側壁部と組み合わせられることにより切り屑収容箱になる第２側壁部と、上記第１側壁部と第２側壁部とを組み合わせて固定するストッパーとを有しており、はさみの開閉動作に伴い、上下の刃部の間で生じる切り屑が、上記切り屑押さえによって切り屑収容箱内に押し込まれるようになっているはさみ用切り屑収容具を第２の要旨とする。
【０００８】
本発明者らは、近年の個人情報保護の風潮において、個人情報の記載物を裁断する機会が増加することに鑑み、はさみ用切り屑収容具に関して、爪のような小さいものを収容するだけでなく、比較的大きなサイズに裁断された切り屑（例えば、クレジットカードの利用明細書等の裁断物）についても、取りこぼさずに簡単に収容することができないか、研究を重ねた。そして、その過程で、切り屑の落ちる方向を、強制的に切り屑収容箱の開口に向けることができれば、切り屑収容箱やその開口を大きくすることによらず、大きな切り屑であっても、これを切り屑収容箱内に押し込むような形で収容することができるのではないかと想起した。そこで、切り屑の落ちる方向を、切り屑収容箱の開口に向けるための研究をさらに重ねた。その結果、使用時に上側になる方の刃部に、その底面を切り屑収容箱の開口に対峙させた状態で切り屑押さえを取り付け、使用時に下側になる方の刃部に、上記切り屑押さえにより下方向に向けられる切り屑を収容する切り屑収容箱を取り付けるようにすると、上記切り屑押さえにより、切り屑収容箱の開口よりも大きいサイズの切り屑であっても、切り屑収容箱内に押し込むことができるため、取りこぼさずに収容することができ、しかも、通常のはさみとして刃渡りより長い距離を続けて裁断する際であっても、操作性が良好であることを突き止め、本発明に到達した。
【発明の効果】
【０００９】
このように、本発明のはさみ用切り屑収容具は、先端側に刃部が設けられ根元側に把持部が設けられた一対の刃物体を交差状に配置し回転軸で軸支してなるはさみに装着されるものであって、上記はさみの片方の刃部に沿って延びる開口を有し、使用時に下側になる方の刃部に、その開口を沿わせた状態で配置される切り屑収容箱が取り付けられ、上記はさみの片方の刃部に沿って延びる略棒状体からなり、使用時に上側になる方の刃部に、その底面を上記切り屑収容箱の開口に対峙させた状態で切り屑押さえが取り付けられるようになっている。このため、はさみの開閉動作によって、上下の刃部の間で生じる切り屑が、上記切り屑押さえによって下向きに押され、その落ちる方向が、強制的に切り屑収容箱の開口に向けられるため、上記切り屑を切り屑収容箱内に確実に収容することができる。また、切り屑収容箱装着ガイドが、その先端側が切り屑収容箱と連結されるか一体的に形成され、根元側が上記はさみの回転軸近傍に係合されるようになっているため、刃渡りより長い距離を続けて裁断する際に邪魔にならず、優れた操作性を有する。
【００１０】
また、本発明のなかでも、上記切り屑収容箱装着ガイドが、使用時に上側になる方の把持部の根元側を上側から折り返す形状の折り返し片を有し、その折り返し片の内側に、はさみの回転軸の突出部分に係脱自在な係合部を有している場合には、特別な道具を使用せずに、はさみに脱着自在な状態に取り付けることができる。
【００１１】
そして、本発明のなかでも、上記切り屑収容箱が、その一部がはさみの刃部に重ねられる第１側壁部と、上記第１側壁部と組み合わせられることにより切り屑収容箱になる第２側壁部と、上記第１側壁部と第２側壁部とを組み合わせて固定するストッパーとを有するものである場合には、上記ストッパーを外すだけで、切り屑収容箱内に収容された切り屑を、容易に取り出し、排出することができる。
【００１２】
さらに、上記切り屑押さえが、弾性を有する材料で形成されているものである場合には、生じた切り屑との間の摩擦力により、その表面に切り屑をしっかりと保持でき、無理なく切り屑収容箱に押し込むことができる。
【００１３】
また、上記切り屑押さえが、上記切り屑収容箱の開口を塞ぐ形状に形成されている場合には、生じた切り屑を取りこぼすことなく、より確実に切り屑収容箱に収容することができる。
【図面の簡単な説明】
【００１４】
【図１】本発明の一実施の形態であるはさみ用切り屑収容具をはさみに装着した状態を示す外観図である。
【図２】上記はさみ用切り屑収容具をはさみに装着し、はさみを開いた状態を示す外観図である。
【図３】上記はさみ用切り屑収容具の一部を手前側から示す外観図である。
【図４】上記はさみ用切り屑収容具の一部を裏側から示す外観図である。
【図５】（ａ）は上記はさみ用切り屑収容具における切り屑収容箱および切り屑収容箱装着ガイドを外側から見た拡大説明図、（ｂ）はこれを上側から見た拡大説明図、（ｃ）はこれを内側から見た拡大説明図である。
【図６】（ａ）は上記切り屑収容箱の第２側壁部を内側から見た拡大説明図、（ｂ）はこれを外側から見た拡大説明図である。
【図７】上記切り屑収容箱におけるストッパーの拡大説明図である。
【図８】上記はさみ用切り屑収容具における切り屑押さえの拡大説明図である。
【図９】上記はさみ用切り屑収容具をはさみに装着する方法の説明図である。
【図１０】（ａ），（ｂ）はいずれも、上記はさみ用切り屑収容具の使用方法の説明図である。
【図１１】上記はさみ用切り屑収容具の一部の変形例の部分的な拡大図である。
【図１２】上記変形例の部分的な拡大図におけるＸ−Ｘ断面図である。
【図１３】上記はさみ用切り屑収容具の一部の変形例を示す斜視図である。
【発明を実施するための形態】
【００１５】
つぎに、本発明を実施するための形態について説明する。ただし、本発明は、この実施の形態に限定されるものではない。
【００１６】
図１は、本発明の一実施の形態であるはさみ用切り屑収容具が、はさみ４に装着された状態を示しており、図２は、そのはさみ４が開いた状態を示している。上記はさみ用切り屑収容具は、はさみ４の刃部によって切断された切り屑を収容するためのもので、主に合成樹脂からなる切り屑収容箱１と、合成樹脂製の切り屑収容箱装着ガイド２と、合成ゴム製の切り屑押さえ３とで構成されている。なお、図１，２において、各部分は模式的であり、実際のサイズとは異なっている（以下の図においても同じ）。
【００１７】
より詳しく説明すると、上記切り屑収容箱１は、はさみ４の使用時に下側になる方の刃部５ａに、その開口６を沿わせた状態で、切り屑収容箱装着ガイド２によって装着されている。この切り屑収容箱装着ガイド２は、先端側が上記切り屑収容箱１と一体的に形成され根元側がはさみ４の回転軸２１近傍に係合されるようになっている。また、上記切り屑押さえ３は、その底面３ａを切り屑収容箱１の開口６に対峙させた状態で、その側面３ｃ（図８参照）をはさみ４の使用時に上側になる方の刃部５ｂに接着剤で接着され、取り付けられている。なお、このはさみ４は、全長が１７ｃｍ、刃部の先端から回転軸２１までの長さが７．５ｃｍであり、汎用品であって右手用である。
【００１８】
上記切り屑収容箱１は、図３，図４に示すように、上部に開口６が形成された箱体であり、その高さｄが３ｃｍ、長さｅが６ｃｍ、厚みｆが１．５ｃｍに形成されている。この開口６は、はさみ４の一対の刃部５ａ，５ｂのうち、使用時に下側になる方の刃部５ａに沿って延びる形状であって、使用時に上側になる方の刃部５ｂ（刃部を閉じ合わせる際、降下する刃部）が刃部の閉時に位置する部分およびその外側に形成されるものであり、幅が０．７ｃｍ、長さが５．５ｃｍに形成されている（図２参照）。そして、上記切り屑収容箱１は、第１側壁部７と、この第１側壁部７と組み合わせられることにより切り屑収容箱１になる第２側壁部８と、上記第１側壁部７と第２側壁部８とを組み合わせて固定するストッパー９とで構成されている。
【００１９】
上記第１側壁部７は、合成樹脂製であり、図５（ａ）はこれを外側から見た拡大説明図、図５（ｂ）はこれを上側から見た拡大説明図、図５（ｃ）はこれを内側から見た拡大説明図である。なお、図５（ａ）〜（ｃ）の各図において、矢印は、これがはさみ４に装着された際の先端方向を示している。また、第１側壁部７の内側には、はさみ４の刃部５ａを載置するための、刃部５ａに対応する形状の凹部１０が形成されている。そして、上記第１側壁部７の左右２個所には、ストッパー９を取り付けるための切欠１１が設けられている。さらに、上記第１側壁部７の後端には、切り屑収容箱１をはさみ４の回転軸２１近傍で係合させるための切り屑収容箱装着ガイド２が一体的に設けられている。
【００２０】
上記第２側壁部８は、無色透明の合成樹脂によって作製され、内側から見た拡大説明図を図６（ａ）に、外側から見た拡大説明図を図６（ｂ）に示すように、切り屑収容箱１の開口６を形成するための、切欠１２が上端に設けられている。なお、図６（ａ）および図６（ｂ）において、矢印はこれがはさみ４に装着された際の先端方向を示している。そして、上記第２側壁部８の左右２個所には、ストッパー９を取り付けるための切欠１３が設けられている。
【００２１】
上記ストッパー９は、合成ゴム製で弾性を有しており、その拡大説明図を図７に示すように、帯状の本体部１５と、上記切欠１１および切欠１３に係合させる連結部１６ａ，１６ｂと、これらに係合させた後の抜け止め部分である抜け止め部１４ａ，１４ｂとが設けられている。したがって、上記第１側壁部７と上記第２側壁部８とを合わせ、互いに重なった切欠１１，１３に、上記ストッパー９の連結部１６ａ，１６ｂを嵌め込むことによって、切り屑収容箱１が形成・固定されるようになっている。なお、図７において、矢印はこれがはさみ４に装着された際の先端方向を示している。
【００２２】
また、上記切り屑収容箱１の第１側壁部７の後端から一体的に設けられる切り屑収容箱装着ガイド２（図１，図２に戻る）は、切り屑収容箱１をはさみ４に装着するためのガイド機能を備えたものであり、図５（ｂ），（ｃ）に示すように、はさみ４の把持部１９ａの根元側に対応する形状に形成された凹部２０と、はさみ４の使用時に上側になる方の把持部１９ａの根元側を上側から折り返す形状に形成された折り返し片１７とを有し、その折り返し片１７の内側に、はさみ４の回転軸２１の凹凸に係脱自在な係合部１８を有している。
【００２３】
一方、はさみ４の他方の刃部５ｂに取り付けられる切り屑押さえ３（図１，図２に戻る）は、図８に示すように、先端側に下り傾斜面３ｂを有する縦が０．５ｃｍ、横が０．５ｃｍ、長さが６ｃｍの略棒状体であって、そのＹ−Ｙ断面が略Ｌ字状であり、側面３ｃがはさみ４の刃部５ｂに接することができるように平らに形成され、また、その底面３ａは切り屑収容箱１の開口６を塞ぐ形状に形成されている。そして、上記切り屑押さえ３は、接着剤によってはさみ４の刃部５ｂに沿って取り付けられるようになっている。
【００２４】
上記はさみ用切り屑収容具をはさみ４に装着するには、図９に示すように、まず、切り屑押さえ３をはさみ４に取り付ける。すなわち、その底面３ａを切り屑収容箱１の開口６に対峙するように、かつ、その先端の傾斜面３ｂ（図８参照）を刃部５ｂの先端側に向けた状態で、側面３ｃ（図８参照）に接着剤を塗布し、はさみ４の刃部５ｂに沿って接着させる。
【００２５】
つぎに、切り屑収容箱１をはさみ４に取り付ける。すなわち、はさみ４の刃部５ａ，５ｂの先端を、切り屑収容箱装着ガイド２の根元側から先端側に抜けるように挿入し、使用時に下側になる方の刃部５ａを、切り屑収容箱１の上部に設けられた凹部１０〔図５（ｂ），（ｃ）参照〕に載置する。これにより、はさみ４の把持部１９ａの根元が切り屑収容箱装着ガイド２の凹部２０〔図５（ｂ），（ｃ）参照〕に嵌め込まれるとともに、はさみ４の回転軸２１の凹凸が、上記切り屑収容箱装着ガイド２の係合部１８〔図５（ｂ），（ｃ）参照〕に係合する。これにより、はさみ４が切り屑収容箱装着ガイド２の折り返し片１７に狭持され、はさみ４に対し切り屑収容箱１がしっかりと固定される。このようにして、はさみ用切り屑収容具を、はさみ４に装着することができる。
【００２６】
そして、上記はさみ用切り屑収容具をはさみ４に装着した状態で、例えば、紙を裁断するには、まず、図１０（ａ）に示すように、はさみ４の刃部５ａ，５ｂを上下に開き、切り屑がはさみ４の進行方向の右側（紙面では下側）に生じるように紙を配置する。ついで、図１０（ｂ）に示すように、上記両刃部５ａ，５ｂを閉じ合わせる。すると、生じた切り屑は、切り屑押さえ３によってその落ちる方向が切り屑収容箱１の開口６に強制的に向けられ、周囲に散乱することなく、切り屑収容箱１内に収容される。
【００２７】
この構成によれば、切り屑押さえ３が、上記切り屑収容箱１の開口６を塞ぐ形状に形成されているため、生じた切り屑が、上記開口６より大きなサイズであっても、取りこぼすことなく、確実に切り屑収容箱１に収容することができる。また、切り屑収容箱装着ガイド２が、はさみ４に沿う形状であり、はさみ４の回転軸２１近傍で係合されているため、刃渡りより長い距離を続けて裁断する際に邪魔にならず、優れた操作性を有する。
【００２８】
そして、上記切り屑収容箱装着ガイド２が、使用時に上側になる方のはさみの把持部１９ａの根元側を上側から折り返す形状の折り返し片１７を有し、その折り返し片１７の内側に、はさみ４の回転軸２１の凹凸に係脱自在な係合部１８を有しているため、特別な道具を使用せずに、はさみ４に脱着自在な状態で装着することができる。
【００２９】
さらに、上記切り屑収容箱１が、はさみ４の刃部５ａに重ねられる第１側壁部７と、この第１側壁部７と組み合わせられることにより切り屑収容箱１になる第２側壁部８と、これらの第１側壁部７および第２側壁部８とを組み合わせて固定するストッパー９とを有しているため、ストッパー９を外すだけで第１側壁部７と第２側壁部８との組み合わせを解くことができ、その他の部分をはさみ４に装着したままで、切り屑収容箱１内に収容された切り屑を取り出し、排出することができる。また、上記第２側壁部８が透明部材で形成されているため、切り屑収容箱１内に収容された切り屑の収容状態を外部から目視で確認できる。
【００３０】
そして、上記切り屑押さえ３が、合成ゴムで形成されているため、生じた切り屑を摩擦力によりその表面に保持した状態で無理なく切り屑収容箱１に押し込むことができ、より確実に収容できる。
【００３１】
なお、上記実施の形態では、はさみ用切り屑収容具を汎用品のはさみ４に用いたが、他の用途、例えば乳幼児の爪きり用はさみ等に用いてもよい。また、右手用のはさみ４に装着した場合について説明したが、左手用のはさみに装着する場合は、左右の構成を逆にすればよい。
【００３２】
また、上記実施の形態では、はさみ用切り屑収容具の、切り屑収容箱１（第１側壁部７，第２側壁部８）および切り屑収容箱装着ガイド２を合成樹脂製としたが、それぞれ、ステンレス等の金属等、他の材料によって形成するようにしてもよい。そして、切り屑押さえ３を合成ゴム製としたが、合成樹脂，金属等、他の材料によって形成するようにしてもよい。しかし、合成ゴムのような弾性体で形成すると、切り屑との間に大きな摩擦力が発生し、切り屑をその表面に保持する能力が高くなるため、より確実に切り屑を切り屑収容箱１内に収容できる。特に、被切断物が糸のように軽量である場合に、切り屑押さえ３を合成ゴムにより形成すると、生じる切り屑（糸屑）をより確実に切り屑収容箱１に収容できるため、好ましい。このような合成ゴムとしては、ＮＢＲ（ニトリルゴム）、ＣＲ（クロロプレンゴム）、ＥＰＤＭ（エチレンプロピレンジエン共重合体）等があげられる。
【００３３】
そして、上記実施の形態では、切り屑収容箱装着ガイド２を、切り屑収容箱１と一体的に形成しているが、別部材を切り屑収容箱１の後端に連結し形成するようにしてもよい。すなわち、図１１およびそのＸ−Ｘ断面図である図１２に示すように、切り屑収容箱１の後端部分に、別に用意した部材２２を連結させ、これらの間にはさみ４の把持部１９ａ，１９ｂを挟み、ねじ２３でねじ止めすることにより、切り屑収容箱１をはさみ４に装着するようにしてもよい。一体的に形成すると脱着が容易になるという利点が得られ、また、別部材を連結させるようにすると脱着が不便になるものの、より強い力で固定することが可能になるという利点を有する。
【００３４】
さらに、上記実施の形態では、切り屑収容箱１が、第１側壁部７と第２側壁部８とストッパー９とで形成されているが、第１側壁部７および第２側壁部８にそれぞれ係合部を設けたり、両者をねじ止めする等して、ストッパー９を用いずに第１側壁部７に第２側壁部８を組み合わせて形成するようにしてもよい。また、切り屑収容箱１を一体的に形成するようにしてもよい。部品点数が少なければ、部品管理が容易になり、製造コストの低減化を図ることができる。
【００３５】
また、上記実施の形態では、切り屑収容箱１は、高さｄが３ｃｍ、長さｅが６ｃｍ、厚みｆが１．５ｃｍのサイズに形成されているが、はさみ４のサイズやその使用用途によって、適宜のサイズに形成することができる。はさみ４の全長が１７ｃｍである場合には、その高さｄを２．５ｃｍ〜６．０ｃｍ、長さｅを６．５ｃｍ〜７．０ｃｍ、厚みｆを１．３ｃｍ〜２．０ｃｍに形成することが好ましい。切り屑収容箱１のサイズが大きすぎると、その存在と重量によって、はさみ４を使用する際の操作性を損ねる傾向がみられ、逆に、小さすぎると、切り屑を収容しにくい傾向がみられるためである。
【００３６】
さらに、上記実施の形態では、切り屑収容箱１の開口６は、０．７ｃｍ×５．５ｃｍのサイズに形成されているが、はさみ４の刃部の長さ、被切断物の種類、生じる切り屑のサイズ等により、切り屑収容箱１のサイズに準じた適宜のサイズに形成することができる。
【００３７】
また、上記実施の形態では、切り屑押さえ３の横寸法を０．５ｃｍに設定しているが、これも、はさみ４のサイズ等によって適宜の寸法とすることができる。すなわち、はさみ４の刃部の長さが同じであっても刃部の厚みが異なる場合があるためであり、切り屑収容箱１のサイズおよびその開口６の寸法にもよるが、操作性を考慮すると、切り屑押さえ３の横寸法は、０．３ｃｍ〜０．６ｃｍの範囲内に設定することが好適である。
【００３８】
そして、上記実施の形態では、切り屑押さえ３の形状を図８に示すように形成しているが、はさみ４の使用時に上側になる方の刃部５ｂに沿って延び、生じた切り屑を切り屑収容箱１に押し込むことができる形状であればよく、例えば、図１３に示すような形状の切り屑押さえ３’であってもよい。この場合、その底面３’ａを切り屑収容箱１の開口６に対峙させ、かつ、側面３’ｃをはさみ４の刃部５ｂに接着させることにより、はさみ４に取り付けることができる。また、この切り屑押さえ３’は、単純な形状でありながら、図８に示す切り屑押さえ３と同等の効果を奏することができる。
【００３９】
また、上記実施の形態では、切り屑押さえ３が切り屑収容箱１の開口６を完全に塞ぐ形状に形成されているが、生じた切り屑の落下の方向を開口６に向けることができる形状であれば、開口６を塞ぐ形に形成しなくてもよい。しかし、開口６を塞ぐ形状に形成されていると、より確実に切り屑を切り屑収容箱１内に収容することができるとともに、これが開口６の蓋になるため、収容した切り屑が容易に抜け落ちず好適である。
【００４０】
さらに、上記実施の形態では、切り屑押さえ３が接着剤によってはさみ４の刃部５ｂに装着されているが、このほかにも、両面テープ等を用いて切り屑押さえ３を刃部５ｂに装着するようにしてもよい。また、はさみ４の刃部が金属である場合には、切り屑押さえ３を磁石で形成し、これをその刃部５ｂに磁力によって取り付けるようにしてもよい。この場合、特別な道具を使用せずにワンタッチで脱着できる。
【産業上の利用可能性】
【００４１】
本発明は、切り屑収容箱の開口より大きいサイズの切り屑を切り屑収容箱に収容し、通常のはさみとして用いる際の操作性が良好なはさみ用切り屑収容具として好適に用いることができる。
【符号の説明】
【００４２】
１          切り屑収容箱
２          切り屑収容箱装着ガイド
３          切り屑押さえ
４          はさみ
５ａ，５ｂ  刃部
６          開口
２１        回転軸
【図１】
0005722078.tif 000002
【図２】
0005722078.tif 000003
【図３】
0005722078.tif 000004
【図４】
0005722078.tif 000005
【図５】
0005722078.tif 000006
【図６】
0005722078.tif 000007
【図７】
0005722078.tif 000008
【図８】
0005722078.tif 000009
【図９】
0005722078.tif 000010
【図１０】
0005722078.tif 000011
【図１１】
0005722078.tif 000012
【図１２】
0005722078.tif 000013
【図１３】
0005722078.tif 000014